(57)【要約】【課題】デジタル放送受信装置において、シーンの見逃しを防止し、見たいシーンだけを見ることを実現できるデジタル放送受信装置およびシーン見逃し防止方法を提供することを目的とする。【解決手段】文字列を入力するユーザー指示装置と前記入力した文字列を格納する記憶装置とデータ放送のストリームを入力として文字列を抽出する文字列抽出装置と抽出した文字列と記憶装置に格納した前記文字列の等価性比較をおこなう文字列比較装置と全装置を制御する制御装置を具備する。【選択図】  図１
2004328207.tif 000002
【特許請求の範囲】
【請求項１】
文字列を入力するユーザー指示装置と前記入力した文字列を格納する記憶装置とデータ放送のストリームを入力として文字列を抽出する文字列抽出装置と抽出した文字列と記憶装置に格納した前記文字列の等価性比較をおこなう文字列比較装置と全装置を制御する制御装置を具備することを特徴とするデジタル放送受信装置。
【請求項２】
制御装置の制御によりユーザーに告知を行う告知装置を具備することを特徴とする請求項１に記載のデジタル放送受信装置。
【請求項３】
文字列抽出装置が検出した論理演算子の論理演算を行う論理演算装置を具備することを特徴とする請求項１に記載のデジタル放送受信装置。
【請求項４】
文字列抽出装置が検出した算術演算子の算術演算を行う算術演算装置を具備することを特徴とする請求項１に記載のデジタル放送受信装置。
【請求項５】
ＡＶデコーダ装置の出力する音声・映像データを記憶し、記憶した音声・映像を読み出してＡＶデコーダ装置に送る放送記憶装置を具備することを特徴とする請求項１に記載のデジタル放送受信装置。
【請求項６】
時刻を刻むタイマ装置を具備することを特徴とする請求項５に記載のデジタル放送受信装置。
【請求項７】
請求項２のデジタル放送受信装置において、放送局側は予めＥＰＧとしてその番組のデータ放送で送付する文字列（キーワード）群を送るステップと、受信者側は予めＥＰＧでその番組のシーンに対応した文字列（キーワード）を選択するステップと、放送局側は番組放送時に見たいシーンに対応したＥＰＧに掲載した文字列をデータ放送で送付するステップと、選択した文字列とデータ放送から送付した文字列がマッチしたら告示処理が行われるステップと、を有することを特徴とするデジタル放送のシーン見逃し防止方法。
【請求項８】
請求項６のデジタル放送受信装置において、ＡＶデコーダ装置の出力の音声・映像とタイマーの時刻を対にして常に放送記憶装置に記憶するステップと、シーンに対応した文字列（キーワード）を設定（選択）するステップとデータ放送の文字列とマッチしたら告知処理を行うか判定するステップと、データ放送の文字列とマッチしたか判定するステップと、告知処理をおこなうステップと、放送記憶装置に記憶したデータを再生するか判定するステップと、マッチした時間のＮ時間前から再生するか指定し、再生するステップと、を有することを特徴とするデジタル放送のシーン見逃し防止方法。
【発明の詳細な説明】
【０００１】
【発明の属する技術分野】
本発明は、デジタル放送受信装置のシーン見逃し防止に関する。
【０００２】
【従来の技術】
近年、地上波、衛星波、ケーブルによるデジタル放送が登場してきている（例えば特許文献１参照。）。
【０００３】
デジタル放送受信装置について図を参考にしながら説明する。図４は、従来のデジタル放送受信装置の構造を示すブロック図である。
【０００４】
図において、選局装置４０１、復調装置４０２、ＴＳデコーダ装置４０３、ＡＶデコーダ装置４０４、アンテナ４０５、音声出力装置４０６、映像表示装置４０７、ユーザー指示装置４０８、制御装置４０９、記憶装置６１０、タイマ装置６１１から構成される。
【０００５】
次に従来例の動作について、説明する。選局装置４０１でチャンネル選択をおこない、復調装置４０２で復調をおこない、ＴＳデコーダ装置４０３で、トランスポートストリームをデコードし、ＡＶデコーダ装置４０４で、映像、音声をデコードし、音声出力装置４０６で、音声を出力し、映像表示装置４０７で、映像を表示し、ユーザー指示装置４０８で、ユーザー指示を入力し、制御装置４０９で他の全て装置を制御し、記憶装置４１０にデータを格納し、タイマ装置４１１で時間を管理する。
【０００６】
【特許文献１】
特開平９−８６７７号公報
【０００７】
【発明が解決しようとする課題】
しかしながら以上の構成では、テレビの見たいシーンを、見逃してしまうという問題点があった。
【０００８】
本発明は上記従来の問題点を解決するもので、デジタル放送受信装置において、シーンの見逃しを防止し、見たいシーンだけを見ることを実現できるシーン見逃し防止方法を提供することを目的とする。
【０００９】
【課題を解決するための手段】
上記の課題を解決するため、本発明は下記の構成を有する。
【００１０】
請求項１に記載の発明は、文字列を入力するユーザー指示装置と前記入力した文字列を格納する記憶装置とデータ放送のストリームを入力として文字列を抽出する文字列抽出装置と抽出した文字列と記憶装置に格納した前記文字列の等価性比較をおこなう文字列比較装置と全装置を制御する制御装置を具備することを特徴とするデジタル放送受信装置である。
【００１１】
請求項２に記載の発明は、制御装置の制御によりユーザーに告知を行う告知装置を具備することを特徴とする請求項１に記載のデジタル放送受信装置である。
【００１２】
請求項３に記載の発明は、文字列抽出装置が検出した論理演算子の論理演算を行う論理演算装置を具備することを特徴とする請求項１に記載のデジタル放送受信装置である。
【００１３】
請求項４に記載の発明は、文字列抽出装置が検出した算術演算子の算術演算を行う算術演算装置を具備することを特徴とする請求項１に記載のデジタル放送受信装置である。
【００１４】
請求項５に記載の発明は、ＡＶデコーダ装置の出力する音声信号・映像信号データを記憶し、記憶した音声信号・映像信号を読み出してＡＶデコーダ装置に送る放送記憶装置を具備することを特徴とする請求項１に記載のデジタル放送受信装置である。
【００１５】
請求項６に記載の発明は、時刻を刻むタイマ装置を具備することを特徴とする請求項５に記載のデジタル放送受信装置である。
【００１６】
請求項７に記載の発明は、請求項２のデジタル放送受信装置において、放送局側は予めＥＰＧとしてその番組のデータ放送で送付する文字列（キーワード）群を送るステップと、受信者側は予めＥＰＧでその番組のシーンに対応した文字列（キーワード）を選択するステップと、放送局側は番組放送時に見たいシーンに対応したＥＰＧに掲載した文字列をデータ放送で送付するステップと、選択した文字列とデータ放送から送付した文字列がマッチしたら告示処理が行われるステップと、を有することを特徴とするデジタル放送のシーン見逃し防止方法である。
【００１７】
請求項８に記載の発明は、請求項６のデジタル放送受信装置において、ＡＶデコーダ装置の出力の音声・映像とタイマーの時刻を対にして常に放送記憶装置に記憶するステップと、シーンに対応した文字列（キーワード）を設定（選択）するステップとデータ放送の文字列とマッチしたら告知処理を行うか判定するステップと、データ放送の文字列とマッチしたか判定するステップと、告知処理をおこなうステップと、放送記憶装置に記憶したデータを再生するか判定するステップと、マッチした時間のＮ時間前から再生するか指定し、再生するステップと、を有することを特徴とするデジタル放送のシーン見逃し防止方法である。
【００１８】
本発明は、デジタル放送受信装置において、シーン見逃し防止を実現できるという作用を有する。
【００１９】
【発明の実施の形態】
以下本発明の実施の形態について、図面とともに記載する。
【００２０】
（実施の形態１）
図１、図２を用いて、実施の形態１のデジタル放送受信装置とシーン見逃し防止方法を説明する。図１は、実施の形態１のデジタル放送受信装置の構成を示す。図１において、１０１は選局装置、１０２は復調装置、１０３はＴＳデコーダ装置、１０４はＡＶデコーダ装置、１０５はアンテナ、１０６は音声出力装置、１０７は映像表示装置、１０８はユーザー指示装置、１０９は制御装置、１１０は記憶装置、１１１はタイマ装置、１１２は  文字列抽出装置、１１３は文字列比例装置、１１４は告知装置、１１５は論理演算装置、１１６は算術演算装置、１１７は文字列比較装置である。
【００２１】
選局装置１０１は、アンテナ１０５からのＲＦ信号を入力としてチャンネル選択をおこなう。復調装置１０２は、選局装置１０１からのチャンネル選択された信号を復調する。ＴＳデコーダ装置１０３は、復調装置１０２からトランスポートストリームをデコードし、映像、音声やデータ放送ストリームに分ける。、ＡＶデコーダ装置１０４は、ＴＳデコーダ装置１０３からの映像信号、音声信号をデコードする。音声出力装置１０６は、ＡＶデコーダ装置１０４からの音声信号を出力する。映像表示装置１０７は、ＡＶデコーダ装置１０４からの映像信号を表示する。ユーザー指示装置１０８は、ユーザーの操作を入力データとして制御装置１０９に伝える。制御装置１０９は、全ての装置を制御する。記憶装置１１０はユーザー指示装置１０８で入力した入力データ（文字列）を格納する。タイマ装置１１１は時刻を管理する。文字列抽出装置１１２はＴＳデコーダ装置１０３からのデータ放送ストリームを入力として文字列を抽出する。文字列比較装置１１３は記憶装置１１０に格納している入力データ（文字列）と文字列抽出装置１１２が抽出した文字列を比較し、その結果を制御装置に伝える。告知装置１１４は、文字列比較装置１１３がマッチングしたときに告知処理（光、音、振動などによりマッチングした状況をユーザーに伝える。）を行う。論理演算装置１１５は、文字列抽出装置１１２が、論理演算子を検出した場合に論理演算をおこないその結果を制御装置１０９に伝える。制御装置１０９は、論理式の条件を満たせば、告知装置１１４が告知処理を行うように制御する。算術演算装置１１６は文字列抽出装置１１２が算術演算子を検出した場合に算術演算を行う。算術演算の結果が条件を満たすようであれば、告知装置１１４が告知処理を行うように制御する。放送記憶装置１１７は、ＡＶデコーダ装置１０４の出力（映像信号、音声信号）とタイマ装置１１１の時刻を対応させて、記憶する。
【００２２】
図２において、放送局側では、ＥＰＧとしてその番組のデータ放送で送付する文字列（キーワード）群を送る（ステップＳ１）。受信者側では、ＥＰＧでその番組の見たいシーンに対応した文字列（キーワード）を選択する（ステップＳ２）。放送局側では、番組放送時にシーンに対応したＥＰＧに掲載した文字列をデータ放送で送付する（ステップＳ３）。受信者側では、選択した文字列とデータ放送から送付した文字列がマッチしたら告知処理が行われる（ステップＳ４）。具体的な例としては、歌番組の出演者の名前をデータ放送で、その人が出演するタイミングで、送る。その名前が、文字列として登録されていれば、告知処理が行われる。
【００２３】
また、株情報の流れる番組では、銘柄名と株値をデータ放送し、設定した株価との比較を算術演算装置１１６で、処理してその結果が指定条件どおりであれば告示処理をおこなう。
【００２４】
告知装置１１４を使用しなくても、文字列がマッチした場合は、制御装置１０９が、オフの状態のＡＶデコーダ装置１０４、音声出力装置１０６、映像表示装置１０７をオン状態にし、マッチしたことを伝えることができる。
【００２５】
（実施の形態２）
図３を用いて、実施の形態２のデジタル放送受信装置のシーン見逃し防止方法を説明する。図３において、ＡＶデコーダ装置の出力の音声信号・映像信号とタイマーの時刻を対にして常に放送記憶装置に記憶する（ステップＳ５）。
【００２６】
シーンに対応した文字列（キーワード）を設定（選択）する（ステップＳ６）。データ放送の文字列とマッチしたら告知処理を行うか（ステップＳ７）の判定結果が“はい”であり、データ放送の文字列とマッチしたか（ステップＳ８）の判定結果が“はい”ならば、告知処理を行う（ステップＳ９）。データ放送の文字列とマッチしたら告知処理を行うか（ステップＳ７）の判定結果が“いいえ”で、放送記憶装置に記憶したデータを再生するか（ステップＳ１０）の判定結果が“はい”ならば、マッチした時間のＮ時間前から再生するか指定し、再生する（ステップＳ１１）。
【００２７】
再生する場合でも、ＡＶデコーダ装置１０４からの音声信号・映像信号とタイマ装置１１１の時刻を対にして常に放送記憶装置に記憶することは、継続する。
【００２８】
また、再生を記憶より速いスピードで、行えば、追っかけ再生が可能になる。
【００２９】
【発明の効果】
以上のように本発明は、デジタル放送受信装置において、シーンの見逃しを防止し、見たいシーンだけを見ることを実現できるという有利な効果が得られる。
【図面の簡単な説明】
【図１】実施の形態１のデジタル放送受信装置の構成を示す図
【図２】実施の形態１のフローチャート
【図３】実施の形態２のフローチャート
【図４】従来のデジタル放送受信装置の構成を示す図
【符号の説明】
１０１  選局装置
１０２  復調装置
１０３  ＴＳデコーダ装置
１０４  ＡＶデコーダ装置
１０５  アンテナ
１０６  音声出力装置
１０７  映像表示装置
１０８  ユーザー指示装置
１０９  制御装置
１１０  記憶装置
１１１  タイマ装置
１１２  文字列抽出装置
１１３  文字列比較装置
１１４  告知装置
１１５  論理演算装置
１１６  算術演算装置
１１７  放送記憶装置
４０１  選局装置
４０２  復調装置
４０３  ＴＳデコーダ装置
４０４  ＡＶデコーダ装置
４０５  アンテナ
４０６  音声出力装置
４０７  映像表示装置
４０８  ユーザー指示装置
４０９  制御装置
４１０  記憶装置
４１１  タイマ装置
【図１】
2004328207.tif 000003
【図２】
2004328207.tif 000004
【図３】
2004328207.tif 000005
【図４】
2004328207.tif 000006